【事件の表示】
　特許第２８０５１４９号「園芸作物の鮮度保持方法」の請求項１ないし２に係る特許に対する特許異議の申立てについて、次のとおり決定する。
【結論】
　訂正を認める。
　特許第２８０５１４９号の請求項１ないし２に係る特許を維持する。
【理由】
Ｉ．手続の経緯
　本件特許第２８０５１４９号は、昭和６３年８月９日に特願昭６３−１９８６４８号として出願され、平成１０年７月２４日にその特許の設定登録がなされ、その後、長谷川征治より特許異議申立がなされ、取消理由通知がなされ、その指定期間内である平成１１年９月１４日に訂正請求がなされたものである。
ＩＩ．訂正請求
１．訂正の内容
▲１▼特許請求の範囲の請求項１に係る記載「（１）紫外線照射下にある０．５〜５ｅＶの禁止帯幅を有する半導体を担体に担持させて、これに園芸作物の雰囲気気体を接触させることを特徴とする園芸作物の鮮度保持方法。」を、「（１）０．５〜５ｅＶの禁止帯幅を有し、粒子径が１〜１、０００ｍμの半導体を担体に担持させて、これに、紫外線照射下、園芸作物の雰囲気気体を接触させることを特徴とする園芸作物の鮮度保持方法。」と訂正する。
▲２▼特許請求の範囲の請求項２に係る記載「（２）０．５〜５ｅＶの禁止帯幅を有する半導体を担体に担持させて、これに園芸作物の雰囲気気体との接触状態において、紫外線を照射することを特徴とする園芸作物の鮮度保持方法。」を、「（２）０．５〜５ｅＶの禁止帯幅を有し、粒子径が１〜１、０００ｍμの半導体を担体に担持させて、これに、園芸作物の雰囲気気体との接触状態において紫外線を照射することを特徴とする園芸作物の鮮度保持方法。」と訂正する。
▲３▼明細書３頁２〜９行の記載を、
「かくして、本発明によれば、０．５〜５ｅＶの禁止帯幅を有し、粒子径が１〜１、０００ｍμの半導体を担体に担持させて、これに、紫外線照射下、園芸作物の雰囲気気体を接触させることを特徴とする園芸作物の鮮度保持方法、並びに、０．５〜５ｅＶの禁止帯幅を有し、粒子径が１〜１、０００ｍμの半導体を担体に担持させて、これに、園芸作物の雰囲気気体との接触状態において紫外線を照射することを特徴とする園芸作物の鮮度保持方法が提供される。」と訂正する。
▲４▼明細書５頁９〜１２行の記載を、
「本発明において、半導体の粒子径は小さい方が効果の面からは好ましく、粒子径が１〜１，０００ｍμのものが用いられる。」と訂正する。
▲５▼明細書８頁５行の「設置」を、「静置」と訂正する。
▲６▼明細書８頁９〜１０行の「実験番号」を、「参考例」と訂正する。
２．訂正の目的の適否、新規事項の有無及び拡張・変更の存否
　上記訂正事項▲１▼、▲２▼は、特許請求の範囲の請求項１に「粒子径が１〜１、０００ｍμ」という構成要件を直列的付加するものであるから特許請求の範囲の減縮に該当し、訂正事項▲３▼、▲４▼及び▲６▼は、訂正事項▲１▼、▲２▼に伴う訂正であり、▲５▼は、誤記の訂正に該当する。
　そして、上記いずれの訂正も新規事項に該当せず、また、実質上特許請求の範囲を拡張し、または変更するものではない。
３．独立特許要件
　当審が通知した取消理由の概要は、請求項１及び２に係る発明は、甲第１号証に記載された発明と同一であるから、特許法２９条の２の規定により、或いは甲第２，３及び５乃至９号証に記載された発明に基づき当業者が容易に発明をすることができたものであるから、特許法２９条２項の規定により特許を受けることができないというものであるところ、訂正された請求項１及び２（以下、「本件発明１及び２」という。）は、後述の「ＩＩＩ２、３」の項に記載のように、甲第１号証に記載された発明と同一ではなく、また、甲第１乃至３及び５乃至９号証に記載された発明に基づき当業者が容易に発明をすることができたものであるとはいえず、また「ＩＩＩ．１．特許異議申立の理由の概要」に記載したその他の特許異議申立の理由についても、「ＩＩＩ２、３」の項に記載のように理由がないものであるから、本件発明１及び２は、特許出願の際独立して特許を受けることができるものである。
４．むすび
　以上のとおりであるから、本件訂正請求は、特許法１２０条の４，２項、及び同条３項で準用する１２６条２項から４項の規定に適合するので、請求のとおり当該訂正を認める。
ＩＩＩ．特許異議申立
１．特許異議申立書の理由の概要
　訂正前の本件請求項１及び２に係る発明は、甲第１号証に記載された発明と同一である、或いは、甲第２乃至９号証に記載された発明に基づき当業者が容易に発明をすることがでいたものであるから、特許法２９条の２或いは同条２項の規定により特許を受けることができない。
　記
甲第１号証：特願昭６３−８００２８号の願書に最初に添付された明細書または図面（特開平１−２５２２４４号公報）
甲第２号証：窪川ら編著「光触媒」（１９８８．３．１０．朝倉書店発行）５３〜５５頁
甲第３号証：特開昭６１−９３８３５号公報
甲第４号証：「食品流通技術」Ｖｏｌ．１６，Ｎｏ．１４，３５〜４１頁
甲第５号証：ＣＥＭＩＣＡＬ　ＰＨＹＳＩＣＳ　ＬＥＴＴＥＲＳ　Ｖｏｌ．，７０，Ｎｏ．１，（１９８０）１３１〜３４頁
甲第６号証：特開昭５５−３９２５７号公報
甲第７号証：特開昭６０−１８７３２２号公報
甲第８号証：特開昭６３−９７２３４号公報
甲第９号証：慶伊富長編著「触媒化学」（１９８３．７．１．東京化学同人発行）
２．本件発明１について
Ａ．特許法２９条の２違反について
　甲第１号証には、
「１．エチレンを生成して成熟し、かつエチレンによって成熟が促進される農産物の鮮度を保持するための鮮度保持方法において、光によって励起されてエチレンを分解する光触媒を前記農産物を収容したほぼ密閉された空間に配置し、前記光触媒を光照射によって励起させることを特徴とする鮮度保持方法。
２．前記光触媒が、酸化チタンもしくは白金を担持した酸化チタンを含んで構成されることを特徴とする請求項１記載の鮮度保持方法。」（特許請求の範囲の項）、「具体的には、光触媒６２はパウダー状であって直径が数１０μｍ以上であり、これに対してエチレンガス、二酸化炭素、水蒸気は数オングストローム以下であり、従って受け皿はこれらの間の大きさの通気孔を多数有するフィルタ状のものなどで形成される。」（４頁右上欄１５行〜左下欄１行）、「曲がったりブ６９４の外面には一様に接着剤６９６が塗布され、これに光触媒パウダー６９５が無数に接着されている。」（５頁左下欄１４〜１６行）、「光触媒としては半導体光触媒である酸化チタン及び白金を担持した酸化チタンを例示したが、光照射によって励起され、エチレンを分解させるものであれば、酸化スズ（ＳｎＯ２）、酸化タングステン（ＷＯ３）、硫化亜鉛（ＺｎＳ）、チタン酸ストロンチウム（ＳｒＴｉＯ３）、酸化鉄（Ｆｅ２Ｏ３）、酸化亜鉛（ＺｎＯ）であってもよく、硫化カドニウム（ＣｄＳ）やシリコン（Ｓｉ）であってもよい。」（７頁右下欄１９行〜８頁左上欄７行）との記載がある。
　しかるに、本件発明１は、「粒子径が１〜１０００ｍμの半導体を担体に担持させ」るものであるところ、甲第１号証には、粒子径に関して、「光触媒６２はパウダー状であって直径が数１０μｍ以上であり、」という記載があるだけであり、しかも、粒子径の単位である「μｍ」は、本件発明１の粒子径の単位である「ｍμ」すなわち「ｎｍ」に比べ、１０３倍大きい単位であるから、本件発明１に係る「半導体」は、甲第１号証に係るものと別異のものであることは明らかである。
　そうすると、本件発明１は、甲第１号証に記載された発明と同一であるとはいえない。
Ｂ．特許法２９条２項違反について
　甲第２号証には、表６．１として、各種半導体のバンドギャップエネルギーと波長についての記載がある。
　甲第３号証には、
「細多孔質材料を基材として、これに電磁波又はオゾンを作用させた酸素処理を行った事を特徴とする低分子ガス吸着触媒材。」（特許請求の範囲の項）、「青鮮食料品、特に野菜や果物等の青果物を貯蔵する場合、その保存性能は果実自体が発生するエチレンの生成量に関係し、貯蔵庫におけるエチレンガスの除去を行うことにより、飛躍的に長時間、鮮度を維持することが出来ることが知られている。・・・（略）・・・したがって、青果物の保鮮手段としては、如何にして青果物のエチレン発生を抑えるか、如何にして発生したエチレンを除去するかという問題が生じるのである。」（１頁右下欄１行〜２頁左上欄５行）が、
　甲第４号証には、
「このため、エチレンの除去は、青果物の鮮度を保つ上に必須で、欧米では減圧貯蔵やＣＡ貯蔵が試みられている。しかし、これらの装置は非常に経費がかかる上、流通過程で利用することは困難である。そこで、簡便な方法としてエチレン吸着剤の利用が考えられた。
　エチレン吸着剤には主に活性炭で吸着する方法と過マンガン酸カリウム、臭素、触媒で分解する方法とがある。」（３６頁左欄２２〜３０行）、「触媒による分解法はパラジウムなどの貴金属類を触媒としてエチレンを酸化、分解し、アセトアルデヒドに分解するものである。安全性の面に力点がおかれているが、大量のエチレンの存在下での分解や、急激な分解には能力が落ちると思われる。」（３６頁右欄２３〜２８行）が、
　甲第５号証には、
「バンドギャップ放射線照射された白金担持の酸化チタン上で、水蒸気と活性炭間での二酸化炭素と水を形成する室温反応が報告されている。同様の触媒機構を用いることにより、エチレンはエタン、二酸化炭素、水及び微量のメタンに変換される。」が、
　甲第６号証には、
「紫外線の照射下で悪臭ガスを酸化亜鉛に接触させることを特徴とする悪臭の除去方法。」（特許請求の範囲の項）、「・・・かつその粒度については一般に微細なほど好ましいが、１００〜４００メッシュの範囲であれば支障なく使用できる。」（１頁右下欄１１〜１４行）、「そしてこの発明を適用し得る悪臭ガスは、・・・アセトアルデヒド、・・・エチレン・・・」（２頁左上欄１３行〜右上欄２行）が、
　甲第７号証には、
「（１）廃棄物中の有害物質を分解して、廃棄物を浄化する方法において、反応器内に光触媒と処理すべき廃棄物とを入れると共に該反応器内に光を照射して、上記有害物質を光化学反応により分解することを特徴とする廃棄物の浄化方法。」（特許請求の範囲の項）、「本発明に用いる光触媒は、光の照射によって、その触媒反応を促進させるものであり、その種類は限定されることはないが、例えば、酸化チタン（ＴｉＯ２）、酸化鉄（Ｆｅ２Ｏ３）、酸化タングステン（ＷＯ３）、・・・酸化亜鉛（ＺｎＯ）、チタン酸ストロンチウム（ＳｒＴｉＯ２）…」（２頁右下欄６〜１３行）、「上記光触媒の形状としては、粉末状、コロイド状、液状、板状等があり、該光触媒を反応器内にそのままの状態で、あるいはガラスクロス等にコートして固定させるのがよい。」（４頁左上欄３〜６行）が、
　甲第８号証には、
「（１）光触媒活性を有する物質の薄膜を、少なくともその物質の活性化に必要な光に対して透明な材料の粒子、フレークまたは繊維の表面に被覆させてなる固定化光触媒。」（特許請求の範囲の項）がそれぞれ記載されている。
　また、甲第９号証には、
「ｂ．担持金属　金属触媒には金属単体のほかに担持金属が含まれる。これは単独では触媒機能がないか、あっても弱い担体の表面に触媒とすべき金属を分散させてつくられる。実用触媒としては金属の分散度、熱的および機械的安定性が高く担体による促進効果も期待できることなどから、担持金属の方がはるかに多用されている。」（４１１頁１６〜１９行）、「５・２担体　前節の担持金属調製法でも記したように、担体は単に触媒物質の分散をよくするだけでなく、促進作用を示す場合もあるため、担体の選択は触媒調製の重要な因子となる。」（４１３頁１〜３行）、「ｂ．クロス触媒　これは高純度シリカ（石英）繊維を撚糸した布状のものを基材にしている。この表面にシリカやアルミナなどを塗り、その上に触媒とすべき金属の塩を含浸法により担持させてつくられる。この触媒は耐熱性に優れ、形状から予想されるようにたわみにも強い。そのため、使用条件の苛酷な自動車排気ガス浄化用触媒や排煙脱硝用触媒などにも応用できることが報告されている。」（４１６頁９〜１３行）がそれぞれ記載されている。
　しかるに、本件発明１は、「粒子径が１〜１０００ｍμの半導体を担体に担持させ」るものであるところ、甲第２乃至５，及び７乃至９号証には、半導体の粒子径について言及するところは全くない。
　また、甲第６号証には、「その粒度については一般に微細なほど好ましいが、１００〜４００メッシュの範囲・・・」との記載があるが、１００〜４００メッシュの粒度は、数１０μｍ以上の大きさであって、本件発明１の「ｍμ」の単位とは、１０３倍大きいものであるから、甲第６号証には、本件発明１に係る微小な半導体は開示、また示唆すらされていない。
　そして、本件発明１の「粒子径が１〜１０００ｍμの半導体」を使用した場合は、実験成績証明書（乙第１号証）に記載されているように、粒子径が数１０μｍ以上の光触媒に比べ、エチレン除去性能に優れるという格別の効果を奏するものである。
　そうすると、本件発明１は、甲第２乃至９号証に記載された発明に基づき当業者が容易に発明をすることができたとはいえない。
３．本件発明２について
　本件発明２は、「（２）０．５〜５ｅＶの禁止帯幅を有し、粒子径が１〜１、０００ｍμの半導体を担体に担持させて、これに、園芸作物の雰囲気気体との接触状態において紫外線を照射することを特徴とする園芸作物の鮮度保持方法。」であるところ、訂正前の請求項２に比べ「粒子径が１〜１、０００ｍμの半導体」という要件が加わったものである。
　そうすると、本件発明１についての判断と同様の理由により、本件発明２は、甲第２乃至９号証に記載された発明に基づき当業者が容易に発明をすることができたとはいえない。
４．まとめ
　以上のとおりであるから、特許異議申立の理由及び証拠によっては、本件発明についての特許を取り消すことはできない。
　また他に本件発明についての特許を取り消すべき理由を発見しない。
　よって、結論のとおり決定する。
【異議決定日】
平成１１年１１月１１日（１９９９．１１．１１）
【訂正の要旨】
▲１▼　訂正事項ａ
　特許請求の範囲の請求項（１）に係る記載
「（１）紫外線照射下にある０．５〜５ｅＶの禁止帯幅を有する半導体を担体に担持させて、これに園云作物の雰囲気気体を接触させることを特徴とする園芸作物の鮮度保持方法。」
　を、
「（１）０．５〜５ｅＶの禁止帯幅を有し、粒子径が１〜１，０００ｍμの半導体を担体に担持させて、これに、紫外線照射下、園芸作物の雰囲気気体を接触させることを特徴とする園芸作物の鮮度保持方法。」
　と訂正する。
▲２▼　訂正事項ｂ
　特許請求の範囲の請求項（２）に係る記載
「（２）０．５〜５ｅＶの禁止帯幅を有する半導体を担体に担持させて、これに園芸作物の雰囲気気体との接触状態において、紫外線を照射することを特徴とする園芸作物の鮮度保持方法。」
　を、
「（２）０．５〜５ｅＶの禁止帯幅を有し、粒子径が１〜１，０００ｍμの半導体を担体に担持させて、これに、園芸作物の雰囲気気体との接触状態において、紫外線を照射することを特徴とする園芸作物の鮮度保持方法。」
　と訂正する。
▲３▼　訂正事項ｃ
　明細書第３頁第２〜９行の記載を、
「かくして、本発明によれば、０．５〜５ｅＶの禁止帯幅を有し、粒子径が１〜１，０００ｍμの半導体を担体に担持させて、これに、紫外線照射下、園芸作物の雰囲気気体を接触させることを特徴とする園芸作物の鮮度保持方法、並びに、０．５〜５ｅＶの禁止帯幅を有し、粒子径が１〜１，０００ｍμの半導体を担体に担持させて、これに、園芸作物の雰囲気気体との接触状態において、紫外線を照射することを特徴とする園芸作物の鮮度保持方法が提供される。」
と訂正する。
▲４▼　訂正事項ｄ
　明細書第５頁第９〜１２行の記載を、
「本発明において、半導体の粒子径は小さい方が効果の面からは好ましく、粒子径が１〜１，０００ｍμのものが用いられる。」
　と訂正する。
▲５▼　訂正事項ｅ
　明細書第８頁第５行の「設置」を、「静置」と訂正する。
▲６▼　訂正事項ｆ
　明細書第８頁第９〜１０行の「実験番号」を、「参考例」と訂正する。
（５４）【発明の名称】
園芸作物の鮮度保持方法
（５７）【特許請求の範囲】
（１）０．５〜５ｅＶの禁止帯幅を有
し、粒子径が１〜１，０００ｍμの
、紫外線照射下、
（２）０．５〜５ｅＶの禁止帯幅を有
し、粒子径が１〜１，０００ｍμの
、
【発明の詳細な説明】
（産業上の利用分野）
　本発明は園芸作物の鮮度保持方法に関し、さらに詳しくは園芸作物の追熟、老化及び変色を抑制するための鮮度保持方法に関する。
（従来の技術）
　園芸作物は貯蔵中にそれ自体からエチレン及びアセトアルデヒドを発生し、その結果、生理障害を起こして、その追熟、老化、変色等が早まることが知られている。
　これを防ぐために、園芸作物から発生する上記の各種ガスを除去する方法が種々提案されている。その代表的なものとして、これらのガスを活性炭によって物理的に吸着する方法や過マンガン酸カリウムによって酸化分解する方法を挙げることができる。しかしながら、前者の方法では除去率に限界があり、他方、後者の方法には除去速度が遅いという欠点がある。
（発明が解決しようとする課題）
　本発明の目的は、園芸作物から発生するエチレン及びアセトアルデヒドを効率よく除去して園芸作物の鮮度を長期間にわたって保持する方法を提供することにある。本発明者らは、この目的を達成すべく鋭意研究を行なった結果、特定の半導体に紫外線を照射しながら、これにエチレン及びアセトアルデヒドを接触させれば、これらの化合物が迅速に効率よく分解されることを見出し、この知見に基いて本発明を完成するに至った。
（課題を解決するための手段）
　かくして
、
し、粒子径が１〜１，０００ｍμの
、紫外線照射下、
並びに、
し、粒子径が１〜１，０００ｍμの
、
　本発明において用いられる０．５〜５ｅＶの禁止帯幅を有する半導体の具体例としては、例えば酸化亜鉛、三酸化タングステン、二酸化チタン、チタン酸ストロンチウム、酸化第二鉄などの金属酸化物；例えば硫化亜鉛、硫化カドミウム、硫化鉛、セレン化亜鉛、セレン化カドミウムなどの金属カルコゲナイド；例えばシリコン、ゲルマニウムなどの第ＩＶ族元素；例えばガリウム−リン、ガリウム−ヒ素、インジウム−リンなどのＩＩＩ−Ｖ族化合物；例えばポリアセチレン、ポリピロール、ポリチオフェン、ポリアニリン、ポリビニルカルバゾールなどの有機半導体を挙げることができるが、これらに限定されない。
　また、上記半導体にヒ素、リン、アルミニウム、ホウ素、ナトリウム、ハロゲンなどの不純物をドープしたものも本発明に使用することができる。さらに、半導体の表面に白金などを担持させることにより、触媒効果を高めることも可能である。
　これらの半導体のうち、効果の点からは２〜４ｅＶの禁止帯幅を有するものが好ましく、毒性及び入手の容易性からは、三酸化タングステン、二酸化チタン、酸化亜鉛などの金属酸化物及びこれらの混晶物が好ましい。
　本発明において半導体は、一種類単独で用いてもよいが、混晶物などの形で二種類以上を併用することも可能である。また、活性炭や酸性白土などの吸着剤と併用することもできる。
　本発明において、半導体の使用量は、特に限定されず、対象とする園芸作物の種類及び量、光源の種類及び強度、半導体の種類等を考慮して選ばれる。
　本発明において、半導体の使用形態は、半導体を不織布、多孔質フィルム、活性炭、ゼオライト、ケイソウ土などの担体に担持させる。これにより半導体粒子が固定されて飛散しにくく、園芸作物の雰囲気気体との接触しやすさに優れているため活性が高く、また、フィルターとしてそのまま使用できるなどの利点がある。
　本発明において、半導体の粒子径は小さい方が効果の面からは好ましく、
粒子径が
　本発明において用いられる紫外線は、波長が４００ｎｍ以下の紫外線、好ましくは４００〜２００ｎｍの近紫外線である。これらの紫外線は、超高圧水銀灯、キセノン灯、低圧水銀灯を単独使用又は併用することにより発生させることができるが、放電管内に水銀と希ガス以外のガリウム、タリウムなどの第三成分を共存させて目的に合致した波長分布特性を有するように改良した光源を使用してもよい。もちろん、紫外線以外の光線、例えば可視光線を含んでいてもよい。
　本発明において、園芸作物の雰囲気気体を半導体に接触させる方法は、特に限定されないが、園芸作物の容器の内部に、直接、紫外線照射装置（担体に担持させた半導体と紫外線光源をいう。以下同じ。）を設置してもよく、また、紫外線照射装置を備えた、開放式または密閉式の反応器に、園芸作物の雰囲気気体を、バッチ式又は連続方式で導入する方法を採用してもよい。
　本発明の方法によれば、エチレン及びアセトアルデヒドの分解が効率よく行なわれるので、本発明の鮮度保持方法は、従来からの用途である園芸作物の輸送、貯蔵等の流通過程のみに限定されることなく、一般家庭での冷蔵庫内における園芸作物の保存期間延長にも応用することができる。
（発明の効果）
　かくして本発明によれば、従来技術に比較して、園芸作物が放出するエチレン及びアセトアルデヒドを、より効率よく、より持続的に分解することができ、園芸作物のより長期の保存が可能になる。
（実施例）
　以下、本発明を参考例及び実施例により、さらに詳細に説明する。なお、参考例及び実施例の中の部及び％は特に断りのない限り、重量基準である。
実施例１、比較例１及び参考例１〜３
　第１表の参考例１〜３に示す粉末状の各種半導体０．４ｇを、それぞれ別々の容量８０ｍｌのパイレックス製三角フラスコに投入し、容器内を約１２５ｐｐｍのエチレンを含む空気で置換した後、シリコンゴム栓で密閉した。次に、三角フラスコから２０ｃｍの距離に設置された超高圧水銀灯（照度１０ｍＷ／ｃｍ２、主波長３６５ｎｍ）を点灯し、容器内のエチレン濃度の経時変化を、ガスクロマトグラフィーで追跡した。また、ポリビニルアルコール水溶液をガラス板上に流延し、これが半乾燥状態のフィルムになったときに、アナターゼ型の二酸化チタン（粒径２１ｍμ）を散布し、さらに
静置
参考例
　この結果を第１表に示す。
　また、上記二酸化チタンを投入した三角フラスコに空気導入管及び排出管を付け、このフラスコに紫外線を照射しながら、上記空気導入管及び排出管を通してエチレンを含有する空気を循環させて上記と同様の試験を行なったときも、同様の結果が得られた。
　これらの結果から、本発明の方法により、エチレンが効率よく除去されていることが分かる。
参考例４、比較例２
　エチレンに代えてアセトアルデヒドを用いるほかは参考例１または比較例１と同様の試験を二酸化チタンについて行なった。結果を第２表に示す。
　第２表の結果から、紫外線照射下にある酸化チタンに接触することにより、アセトアルデヒドが効率よく除去されていることが分かる。
実施例２
　５０ｇのアナターゼ型二酸化チタンを担持させた１２０ｇのポリビニルアルコールフィルムと薄赤色のプラム２０個とを、殺菌灯（照度３ｍＷ／ｃｍ２、主波長２５４ｎｍ）及び空気循環用のファンを備えた密閉型の容器（内容積３０ｃｍ×２５ｃｍ×３７ｃｍ）を恒温室内に載置した。殺菌灯を点灯したのち、１０日間のプラムの外観の変化の観察を行なった。
　又、比較のために、アナターゼ型二酸化チタンを担持させたポリビニルアルコールフィルムを置かないほかは同様の試験を行なった。
　二酸化チタンを担持させたポリビニルアルコールを置かなかった場合は、プラムがすべて褐色に変色し、２０個のうち、１５個は形状が崩れていた。これに対して、二酸化チタンを担持させたポリビニルアルコールフィルムを置き、殺菌灯を点灯した場合では、プラムの薄赤色が実験開始時に比べてやや濃くなっているほかは、いずれのプラムも形状に変化はなかった。
　以上の結果から、本発明の方法によるときは、園芸作物の鮮度を長期間保持できることが分る。